(57)【要約】      （修正有）【課題】操作が簡単で、より確実に基台の移動を禁止することができるキャスター固定具を提供する。【解決手段】キャスター固定具は、底面９１に立設された回動軸１の軸心回りに回動可能に設けられた回動板２と、回動板２から基台９０の外側に突出し、回動板２を回動可能な回動レバー３と、床面を押圧することにより基台９０の移動を禁止するとともに、押圧を解除することにより基台９０の移動を可能にする複数のロック機構６と、各ロック機構６に一端が連結され、他端が回動板２の外周部に軸支されるロックレバー７とを有している。【選択図】図１
0003159186.tif 000002
【実用新案登録請求の範囲】
【請求項１】
底面に複数のキャスターが配設された基台の移動を禁止することのできるキャスター固定具において、
該底面に立設された回動軸の軸心回りに回動可能に設けられた回動板と、
該回動板から該基台の外側に突出し、該回動板を回動可能な回動レバーと、
該床面を押圧することにより該基台の移動を禁止するとともに、該押圧を解除することにより該基台の移動を可能にする複数のロック機構と、
該各ロック機構に一端が連結され、他端が該回動板の外周部に軸支されるロックレバーと、を有することを特徴とするキャスター固定具。
【請求項２】
請求項１において、
前記回動レバーは、押し下げることにより前記基台の移動を禁止する固定レバーと、押し下げることにより該基台の移動を可能にする解除レバーと、からなることを特徴とするキャスター固定具。
【請求項３】
請求項１において、
前記回動レバーは、前記底面と平行の一方向に引くことにより前記基台の移動を禁止し、該底面と平行の他方向に引くことにより該基台の移動を可能にすることを特徴とするキャスター固定具。
【請求項４】
請求項１乃至３において、
前記ロック機構は、
前記回動板から放射状に延在し、前記底面に固定される固定アームと、
該固定アームに対向して設けられる揺動アームと、を有し、
該揺動アームの該底面外周側の一端には付勢手段により床面を押圧する押圧板が設けられ、該揺動アームの該回動板側の他端は該固定アームの他端に軸支され、
該固定アームの一端と該揺動アームの一端との間には、該固定アームの一端と該揺動アームの一端とを近接又は離反させる揺動部材が設けられ、
該揺動部材には前記ロックレバーの一端が連結されていることを特徴とするキャスター固定具。
【請求項５】
請求項４において、前記揺動部材は、
前記固定アームの一端であって、長手方向に垂直かつ前記底面に平行に設けられた第１軸と、
該第１軸に一端が軸支される第１プレートと、
前記揺動アームの一端であって、長手方向に垂直かつ前記底面に平行に設けられた第２軸と、
該第２軸に一端が軸支される第２プレートと、
該第１軸及び該第２軸に平行に設けられ、該第１プレートの他端と該第２プレートの他端とが軸支される第３軸と、を有し、
該第３軸には前記ロックレバーの一端が軸支され、
該ロックレバーを該固定アームの一端側に押すことにより、該固定アームの一端と該揺動アームの一端とが近接し、
該ロックレバーを該固定アームの他端側に引くことにより、該固定アームの一端と該揺動アームの一端とが離反することを特徴とするキャスター固定具。
【請求項６】
請求項１乃至５において、前記基台は、物品設置台、医療用装置、収納棚、テレビ台、台車、運搬車、机、椅子、カート、ワゴン、荷車、乳母車、ベビーカー、書棚、ロッカー、陳列棚、ベッド、ホワイトボード、ピアノ、オルガン、ついたて、ごみ箱、物干しざお支持具、広告板、又は広告塔であることを特徴とするキャスター固定具。
【考案の詳細な説明】
【技術分野】
【０００１】
本考案は、底面に複数のキャスターが配設された基台の移動を禁止することのできるキャスター固定具に関する。
【背景技術】
【０００２】
例えば、医療器具の運搬に用いる医療用台車においては、医療用台車を自由に移動できるとともに、所望する位置で移動を確実に禁止できることが要求される。このような基台の底面にキャスターを配設し、これにより基台を自由に移動できるようにするのが一般的である。また、所望する位置で基台の移動を禁止するキャスター固定具として、特許文献１に記載のものが知られている。このキャスター固定具によれば、ロックペダルを押し下げることによりキャスターを床面から持ち上げることができるキャスター固定具がキャスターごとに設けられている。そのため、すべてのキャスター固定具のロックペダルを押し下げることにより、確実にキャスターを床面から持ち上げて基台の移動を禁止することができる。
【０００３】
しかしながら、このキャスター固定具では、キャスターの数だけのロックペダルを押し下げなければならず、移動と固定とを頻繁に繰り返す基台の場合は操作が面倒である。また、一部のキャスターのロックペダルの押し下げを忘れた場合、誤って基台に力を加えると、基台が動いてしまうこともあり得る。
【０００４】
これに対し、特許文献２に記載のキャスター固定具が提案されている。このキャスター固定具によれば、基台にはキャスター固定具が１つ設けられている。そして、１つのロックペダルを押し下げることによりすべてのキャスターを床面から持ち上げることができ、１回の操作で基台の移動を禁止することができる。
【先行技術文献】
【特許文献】
【０００５】
【特許文献１】特許３６８９３０７号公報
【特許文献２】特開２００９−１２６００号公報
【考案の概要】
【考案が解決しようとする課題】
【０００６】
しかし、上記特許文献２記載のキャスター固定具では、基台にキャスター固定具が１つしか設けられておらず、基台が不安定になる場合が生じ得る。また、基台の底面が広い場合には、大型のキャスター固定具が必要となってしまう。
【０００７】
本考案はかかる従来の問題点に鑑みてなされたものであり、操作が簡単で、より確実に基台の移動を禁止することができるキャスター固定具を提供するものである。
【課題を解決するための手段】
【０００８】
上記の課題を解決するために、請求項１に係るキャスター固定具の特徴は、底面に複数のキャスターが配設された基台の移動を禁止することのできるキャスター固定具において、該底面に立設された回動軸の軸心回りに回動可能に設けられた回動板と、該回動板から該基台の外側に突出し、該回動板を回動可能な回動レバーと、該床面を押圧することにより該基台の移動を禁止するとともに、該押圧を解除することにより該基台の移動を可能にする複数のロック機構と、該各ロック機構に一端が連結され、他端が該回動板の外周部に軸支されるロックレバーと、を有することである。
【０００９】
請求項２に係るキャスター固定具の特徴は、請求項１において、前記回動レバーは、押し下げることにより前記基台の移動を禁止する固定レバーと、押し下げることにより該基台の移動を可能にする解除レバーと、からなることである。
【００１０】
請求項３に係るキャスター固定具の特徴は、請求項１において、前記回動レバーは、前記底面と平行の一方向に引くことにより前記基台の移動を禁止し、該底面と平行の他方向に引くことにより該基台の移動を可能にすることである。
【００１１】
請求項４に係るキャスター固定具の特徴は、請求項１乃至３において、前記ロック機構は、前記回動板から放射状に延在し、前記底面に固定される固定アームと、該固定アームに対向して設けられる揺動アームと、を有し、該揺動アームの該底面外周側の一端には付勢手段により床面を押圧する押圧板が設けられ、該揺動アームの該回動板側の他端は該固定アームの他端に軸支され、該固定アームの一端と該揺動アームの一端との間には、該固定アームの一端と該揺動アームの一端とを近接又は離反させる揺動部材が設けられ、該揺動部材には前記ロックレバーの一端が連結されていることである。
【００１２】
請求項５に係るキャスター固定具の特徴は、請求項４において、前記揺動部材は、前記固定アームの一端であって、長手方向に垂直かつ前記底面に平行に設けられた第１軸と、該第１軸に一端が軸支される第１プレートと、前記揺動アームの一端であって、長手方向に垂直かつ前記底面に平行に設けられた第２軸と、該第２軸に一端が軸支される第２プレートと、該第１軸及び該第２軸に平行に設けられ、該第１プレートの他端と該第２プレートの他端とが軸支される第３軸と、を有し、該第３軸には前記ロックレバーの一端が軸支され、該ロックレバーを該固定アームの一端側に押すことにより、該固定アームの一端と該揺動アームの一端とが近接し、該ロックレバーを該固定アームの他端側に引くことにより、該固定アームの一端と該揺動アームの一端とが離反することである。
【００１３】
請求項６に係るキャスター固定具の特徴は、請求項１乃至５において、前記基台は、物品設置台、医療用装置、収納棚、テレビ台、台車、運搬車、机、椅子、カート、ワゴン、荷車、乳母車、ベビーカー、書棚、ロッカー、陳列棚、ベッド、ホワイトボード、ピアノ、オルガン、ついたて、ごみ箱、物干しざお支持具、広告板、又は広告塔であることである。
【考案の効果】
【００１４】
請求項１に係るキャスター固定具においては、１回の回動レバーの操作により、複数のロック機構を作動させることができ、移動と固定とを頻繁に繰り返す基台の場合であっても操作が簡単である。また、このキャスター固定具においては、複数のロック機構を有するため、広い面積で基台の荷重を受けることができ、基台がより安定し易い。したがって、請求項１に係るキャスター固定具によれば、操作が簡単で、より確実に基台の移動を禁止することができる。
【００１５】
請求項２に係るキャスター固定具においては、固定レバーを押し下げることにより基台の移動を禁止することができ、解除レバーを押し下げることにより基台の移動を可能にするため、固定レバー及び解除レバーを足で操作することができ、移動と固定とを頻繁に繰り返す基台の場合であっても操作が簡単である。
【００１６】
請求項３に係るキャスター固定具においては、１つの回動レバーを左右に操作することにより基台の移動を禁止又は可能にできるため、キャスター固定具を小型にすることができる。
【００１７】
請求項４に係るキャスター固定具においては、ロック機構には揺動部材が設けられ、この揺動部材により固定アームの一端と揺動アームの一端とを近接又は離反させることができる。また、揺動アームの一端には付勢手段により床面を押圧する押圧板が設けられているため、簡単な構造で基台の移動を禁止又は可能にできる。
【００１８】
請求項５に係るキャスター固定具においては、揺動部材は、第１プレートの他端と第２プレートの他端とが第３軸により蝶番状に軸支されている。また、第１プレートの一端及び第２プレートの一端が、第１軸及び第２軸により、固定アームの一端及び揺動アームの一端に軸支されている。そして、第３軸にはロックレバーの一端が軸支されているため、ロックレバーを押したり引いたりすることにより、容易に揺動アームの一端を固定アームの一端に近接又は離反させることができる。
【００１９】
請求項６に係るキャスター固定具においては、基台が物品設置台、医療用装置、収納棚、テレビ台、台車、運搬車等であれば、キャスター固定具の機能を十分に発揮できるからである。
【図面の簡単な説明】
【００２０】
【図１】実施形態１のキャスター固定具に係り、基台の底面斜視図。
【図２】実施形態１、２のキャスター固定具に係り、ロック機構及びロックレバーの分解斜視図。
【図３】実施形態１のキャスター固定具に係り、固定レバーを押し下げた場合のキャスター固定具の一部拡大斜視図。
【図４】実施形態１のキャスター固定具に係り、固定レバーを押し下げた場合のロック機構の一部拡大断面図。
【図５】実施形態１のキャスター固定具に係り、解除レバーを押し下げた場合のキャスター固定具の一部拡大斜視図。
【図６】実施形態１のキャスター固定具に係り、解除レバーを押し下げた場合のロック機構の一部拡大断面図。
【図７】実施形態２のキャスター固定具に係り、基台の底面斜視図。
【考案を実施するための形態】
【００２１】
本考案に係るキャスター固定具を医療用台車に具体化した実施形態１、２を図面に基づいて以下に説明する。図１は、実施形態１のキャスター固定具が底面９１に配設された医療用台車９０を底面方向から見た斜視図である。したがって、図１の上方前方向が床面である。この医療用台車９０は、医療器具の運搬に用いられ、底面９１に４個のキャスター９２が配設されている。ここで、医療用台車９０が「基台」である。
【００２２】
図１に示すように、このキャスター固定具は、回動板２と、回動レバー３と、複数のロック機構６と、ロックレバー７とを有している。回動板２は、四角形の板状をなし、底面９１に立設された回動軸１の軸心回りに回動可能に設けられている。回動レバー３は、押し下げることにより医療用台車９０の移動を禁止する固定レバー４と、押し下げることにより医療用台車９０の移動を可能にする解除レバー５とからなっている。固定レバー４はプッシュレバー４ａと操作レバー４ｂとからなり、解除レバー５はプッシュレバー５ａと操作レバー５ｂとからなっている。プッシュレバー４ａ、５ａは、一部が医療用台車９０の外側に突出し、足で押し下げ易くなっている。このプッシュレバー４ａを押し下げると、操作レバー４ｂが押されて回動板２が右回転する。また、プッシュレバー５ａを押し下げると、操作レバー５ｂが押されて回動板２が左回転する。なお、操作レバー４ｂ及びプッシュレバー５ａはスプリングにより付勢されているが、これは固定レバー４及び解除レバー５の動作を円滑にするためである。ロック機構６は、４個用いられ、底面９１から下方（図１の上方前方向、以下同じ）に突出することにより医療用台車９０の移動を禁止するとともに、上方（図１の下方後方向、以下同じ）に退避することにより医療用台車９０の移動を可能にするものである。また、４本のロックレバー７の一端が各ロック機構６に連結され、他端が回動板２の四隅に軸支されている。このロックレバー７は、回動板６の回動により、ロック機構６を底面９１から下方に突出させたり、上方に退避させたりするものである。
【００２３】
図２は、ロック機構６及びロックレバー７の分解斜視図である。図２に示すように、ロック機構６は、固定アーム１０、揺動アーム２０及び揺動部材３０を有している。固定アーム１０は、回動板２から放射状に延在して底面９１に固定される固定板１１と、固定板１１の長手方向の両端から垂直に伸びる側板１２とからなっている。固定アーム１０の一端１０ａ側及び他端１０ｂ側の側板１２には、ボルト３１、４０が貫通するボルト穴１３、１４が開けられている。
【００２４】
揺動アーム２０は、固定アーム１０に対向して設けられる揺動板２１と、揺動板２１の長手方向の両端から固定アーム１０の方向に垂直に伸びる側板２２とを有している。揺動アーム２０は、固定アーム１０の２枚の側板１２の間に遊挿可能になっている。また、揺動アーム２０の一端２０ａ側及び他端２０ｂ側の側板２２には、ボルト３２、４０が貫通するボルト穴２３、２４が開けられている。そして、固定アーム１０の他端１０ｂ側に揺動アーム２０の他端２０ｂ側を挿入し、ボルト穴１４、２４にボルト４０を貫通して、揺動アーム２０の他端２０ｂは固定アーム１０の他端１０ｂに軸支される。また、揺動アーム２０の一端２０ａ側の揺動板２１には、圧縮スプリング２７により床面９６（図４参照）を押圧する押圧板２６が設けられている。詳細には、押圧板２６は円盤状の押圧部２６ａと、押圧部２６ａに立設されたボルト部２６ｂとからなる。そして、ボルト部２６ｂの一端には押圧部２６ａが軸方向に移動可能に設けられ、ボルト部２６ａの他端は揺動板２１に開けられたボルト穴２５により揺動板２１に固定されている。また、ボルト部２６ｂには圧縮スプリング２７が巻装され、これにより、押圧板２６が床面９６を押圧可能になっている。ここで、圧縮スプリング２７が「付勢手段」である。なお、この「付勢手段」は弾性体であればよく、例えば、ゴムであってもよい。さらに、揺動アーム２０の一端２０ａ側の揺動板２１にはボルト４１が溶接により固着され、ボルト４１とボルト３１との間にスプリング４２が設けられている。このスプリング４２により、揺動アーム２０の一端２０ａが固定アーム１０の一端１０ａに近接する方向に付勢される。
【００２５】
揺動部材３０は、固定アーム１０の一端１０ａと揺動アーム２０の一端２０ａとの間に設けられ、固定アーム１０の一端１０ａと揺動アーム２０の一端２０ａとを近接又は離反させるものである。揺動部材３０は、ボルト３１、ボルト３２、ボルト３３、第１プレート３５及び第２プレート３６からなっている。ここで、ボルト３１が「第１軸」、ボルト３２が「第２軸」、ボルト３３が「第３軸」である。
【００２６】
第１プレート３５及び第２プレート３６は、四角形の板状をした底板部３５ａ、３６ａと、底板部３５ａ、３６ａの平行な２辺に垂直に設けられた側部３５ｂ、３６ｂとからなっている。そして、第１プレート３５の２枚の側部３５ｂは、第２プレート３６の２枚の側部３６ｂの間に遊挿可能になっている。また、側部３５ｂ、３６ｂは、底板部３５ａ、３６ａの他の平行な２辺より突出しており、その突出した面にボルト穴３５ｃ、３５ｄ、３６ｃ、３６ｄが開けられている。さらに、側部３５ｂのボルト穴３５ｄ側には切欠部３５ｅが設けられている。本実施形態１においては、切欠部３５ｅは底板部３５ａの表面より１．５ｍｍ下がっているが、０．５ｍｍ〜２．５ｍｍの範囲内であることが望ましい。
【００２７】
ロックレバー７は、板状をなし、固定アーム１０及び可動アーム２０内に大部分が収納される。ロックレバー７の一端７ａはボルト３３に軸支され、他端７ｂは回動板２に連結されている。
【００２８】
次に、揺動部材３０をロック機構６に組付ける手順について説明する。まず、第１プレート３５、第２プレート３６の底板部３５ａ、３６ａを当接する方向にして、ボルト穴３６ｄ、ロックレバー７の一端７ａ、ボルト穴３５ｄにボルト３３を挿入する。これにより、第１プレート３５及び第２プレート３６が蝶番状にボルト３３に軸支され、ロックレバー７の一端７ａがボルト３３に軸支される。また、固定アーム１０のボルト穴１３、第１プレート３５のボルト穴３５ｃにボルト３１を挿入することにより、第１プレート３５がボルト３１に軸支される。さらに、揺動アーム２０のボルト穴２３、第２プレート３６のボルト穴３６ｃにボルト３２を挿入することにより、第２プレート３６がボルト３２に軸支される。これにより、ロックレバー７を固定アーム１０一端１０ａ側に押すことにより、固定アーム１０の一端１０ａと揺動アーム２０の一端２０ａとを近接させることができる。また、ロックレバー７を固定アーム１０の他端１０ｂ側に引くことにより、固定アーム１０の一端１０ａと揺動アーム２０の一端２０ａとを離反させることができる。
【００２９】
上記の構成をしたキャスター固定具では、４個のキャスター９２により床面９６上を移動可能な状態から、図３に示すように、固定レバー４のプッシュレバー４ａを足で踏んで矢印の方向に押し下げると、操作レバー４ｂが矢印の方向に押される。これにより、回動軸１の軸心回りに回動板２が右回転（矢印の方向）する。回動板２が右回転すると、回動板２の四隅に軸支された各ロックレバー７の他端７ｂが矢印の方向に引かれ、揺動アーム２０の一端２０ａが固定アーム１０の一端１０ａから離反した状態になる。この際、スプリング４２により、揺動アーム２０の一端２０ａが固定アーム１０の一端１０ａに近接する方向に付勢されている（図２参照）。また、側部３５ｂに切欠３５ｅがあるために、図４に示すように、ボルト３１、３２が離反するとともに、ボルト３１、３２に対してボルト３３が図４右方向にある状態、すなわち、第１プレート３５及び第２プレート３６が逆「く」の字の状態で安定する。これにより、押圧板２６の押圧部２６ａが床面９６を押し、医療用台車９０の移動を禁止することができる。また、この際、４個のキャスター９２は床面９６に当接しており、浮き上がることはない。すなわち、ボルト部２６ｂに設けられた圧縮スプリング２７のバネ定数は、医療用台車９０に医療機器が搭載された場合の総重量の約２分の１を押圧板２６が受けるように設定されている。これにより、４個のキャスター９２と４個の押圧板２６が医療用台車９０の重量を支えるようになっている。このため、キャスター９２及び押圧板２６が床面９６に当接する総面積が大きくなり、医療用台車９０の安定性が向上する。また、４個の押圧板２６が４個のキャスター９２を持ち上げるものではないため、キャスター固定具を小型化することができる。なお、押圧板２６が受ける重量は、医療用台車９０に医療機器が搭載された場合の総重量の３０％〜７０％であることが望ましい。
【００３０】
また、医療用台車９０の移動が禁止された状態から、図５に示すように、解除レバー５のプッシュレバー５ａを足で踏んで矢印の方向に押し下げると、操作レバー５ｂが矢印の方向に押される。これにより、回動軸１の軸心回りに回動板２が左回転（矢印の方向）する。回動板２が左回転すると、回動板２の四隅に軸支された各ロックレバー７の他端７ｂが矢印の方向に押され、揺動アーム２０の一端２０ａが固定アーム１０の一端１０ａに近接した状態になる。この際、スプリング４２により、揺動アーム２０の一端２０ａが固定アーム１０の一端１０ａに近接する方向に付勢されている（図２参照）。そのため、図６に示すように、ボルト３１、３２が接近するとともに、ボルト３１、３２に対してボルト３３が図６左方向にある状態、すなわち、第１プレート３５及び第２プレート３６が「く」の字の状態で安定する。これにより、押圧板２６の押圧部２６ａが床面９６から離れ、４個のキャスター９２により医療用台車９０の移動を可能にすることができる。
【００３１】
実施形態１に係るキャスター固定具においては、１回の回動レバー３（固定レバー４、解除レバー５）の操作により、４個のロック機構６を作動させることができ、移動と固定とを頻繁に繰り返す医療用台車９０の場合であっても操作が簡単である。また、このキャスター固定具においては、４個のロック機構６を有するため、広い面積で医療用台車９０の荷重を受けることができ、医療用台車９０がより安定し易い。したがって、実施形態１に係るキャスター固定具によれば、操作が簡単で、より確実に基台の移動を禁止することができる。
【００３２】
また、このキャスター固定具においては、固定レバー４を押し下げることにより医療用台車９０の移動を禁止することができ、解除レバー５を押し下げることにより医療用台車９０の移動を可能にするため、固定レバー４及び解除レバー５を足で操作することができ、移動と固定とを頻繁に繰り返す医療用台車９０の場合であっても操作が簡単である。
【００３３】
さらに、このキャスター固定具においては、ロック機構６には揺動部材３０が設けられ、この揺動部材３０により固定アーム１０の一端１０ａと揺動アーム２０の一端２０ａとを近接又は離反させることができる。また、揺動アーム２０の一端２０ａには圧縮スプリング２７により床面９６を押圧する押圧板２６が設けられているため、簡単な構造で医療用台車９０の移動を禁止又は可能にできる。
【００３４】
また、このキャスター固定具においては、揺動部材３０は、第１プレート３５の他端と第２プレート３６の他端とがボルト３３により蝶番状に軸支されている。また、第１プレート３５の一端及び第２プレート３６の一端が、ボルト３１及びボルト３２により、固定アーム１０の一端１０ａ及び揺動アーム２０の一端２０ａに軸支されている。そして、ボルト３３にはロックレバー７の一端７ａが軸支されているため、ロックレバー７を押したり引いたりすることにより、容易に揺動アーム２０の一端２０ａを固定アーム１０の一端１０ａに近接又は離反させることができる。
【００３５】
次に、実施形態２のキャスター固定具を図面に基づいて以下に説明する。図７は、実施形態２のキャスター固定具が底面９１に配設された医療用台車９０を底面方向から見た斜視図である。したがって、図７の上方前方向が床面である。このキャスター固定具の機械的構成のうち、図１〜図６に示した実施形態１のキャスター固定具の機械的構成と同一のものについては同一の符号を用いることとし、その説明を省略する。
【００３６】
このキャスター固定具では、回動レバー８の一端部がＬ字形に曲げられ、その一端部が回動板２に溶接により固着されている。また、回動レバー８の他端部が医療用台車９０の外側に突出し、手で操作し易くなっている。
【００３７】
このキャスター固定具では、図７に示すように、回動レバー８を底面９１と平行の一方向Ａに引くことにより、回動軸１の軸心回りに回動板２が右回転する。回動板２が右回転すると、回動板２の四隅に軸支された各ロックレバー７の他端７ｂが引かれ、揺動アーム２０の一端２０ａが固定アーム１０の一端１０ａから離反した状態になる。この際、スプリング４２により、揺動アーム２０の一端２０ａが固定アーム１０の一端１０ａに近接する方向に付勢されている（図２参照）。また、側部３５ｂに切欠３５ｅがあるために、図４に示すように、ボルト３１、３２が離反するとともに、ボルト３１、３２に対してボルト３３が図４右方向にある状態、すなわち、第１プレート３５及び第２プレート３６が逆「く」の字の状態で安定する。これにより、押圧板２６の押圧部２６ａが床面９６を押し、医療用台車９０の移動を禁止することができる。
【００３８】
また、医療用台車９０の移動が禁止された状態から、図７に示すように、回動レバー８を底面９１と平行の他方向Ｂに引くことにより、回動軸１の軸心回りに回動板２が左回転する。回動板２が左回転すると、回動板２の四隅に軸支された各ロックレバー７の他端７ｂが押され、揺動アーム２０の一端２０ａが固定アーム１０の一端１０ａに近接した状態になる。この際、スプリング４２により、揺動アーム２０の一端２０ａが固定アーム１０の一端１０ａに近接する方向に付勢されている（図２参照）。そのため、図６に示すように、ボルト３１、３２が接近するとともに、ボルト３１、３２に対してボルト３３が図６左方向にある状態、すなわち、第１プレート３５及び第２プレート３６が「く」の字の状態で安定する。これにより、押圧板２６の押圧部２６ａが床面９６から離れ、４個のキャスター９２により医療用台車９０の移動を可能にすることができる。
【００３９】
実施形態２に係るキャスター固定具においては、１つの回動レバー８を左右に操作することにより医療用台車９０の移動を禁止又は可能にできるため、キャスター固定具を小型にすることができる。その他の作用、効果は実施形態１と同様である。
【００４０】
実施形態１、２のキャスター固定具では、４個のロック機構６を用いている。ロック機構６の数は４個に限られないが、少なすぎる場合は基台が安定せず、多すぎる場合はキャスター固定具が大型になってしまう。このロック機構６の数は３個〜５個が望ましい。また、実施形態１、２のキャスター固定具では、回動板２が四角形の板状であるが、ロック機構６の数により形状を変えることが望ましい。例えば、ロック機構６の数が３個の場合は三角形、ロック機構６の数が５個の場合は五角形にするとよい。
【００４１】
また、実施形態１、２のキャスター固定具では、底面９１に４個のロック機構６を直接配設している。これに対し、予めロック機構６を板に配設してユニット化しておき、底面９１にユニット化されたキャスター固定具を取付けるようにしてもよい。
【００４２】
以上、本考案のキャスター固定具を実施形態１、２に即して説明したが、本考案はこれらに制限されるものではなく、本考案の技術的思想に反しない限り、適宜変更して適用できることはいうまでもない。
【符号の説明】
【００４３】
１…回動軸、２…回動板、３、８…回動レバー（４…固定レバー、５…解除レバー）、６…ロック機構、７…ロックレバー、１０…固定アーム、２０…揺動アーム、２６…押圧板、２７…付勢手段（圧縮スプリング）、３０…揺動部材、３１…第１軸（ボルト）、３２…第２軸（ボルト）、３３…第３軸（ボルト）、３５…第１プレート、３６…第２プレート、９０…基台（医療用台車）、９１…底面、９２…キャスター、９６…床面
【図１】
0003159186.tif 000003
【図２】
0003159186.tif 000004
【図３】
0003159186.tif 000005
【図４】
0003159186.tif 000006
【図５】
0003159186.tif 000007
【図６】
0003159186.tif 000008
【図７】
0003159186.tif 000009
【手続補正書】
【提出日】平成22年3月1日(2010.3.1)
【手続補正１】
【補正対象書類名】実用新案登録請求の範囲
【補正対象項目名】請求項１
【補正方法】変更
【補正の内容】
【請求項１】
底面に複数のキャスターが配設された基台の移動を禁止することのできるキャスター固定具において、
該底面に立設された回動軸の軸心回りに回動可能に設けられた回動板と、
該回動板から該基台の外側に突出し、該回動板を回動可能な回動レバーと、
床面を押圧することにより該基台の移動を禁止するとともに、該押圧を解除することにより該基台の移動を可能にする複数のロック機構と、
該各ロック機構に一端が連結され、他端が該回動板の外周部に軸支されるロックレバーと、を有することを特徴とするキャスター固定具。
【手続補正２】
【補正対象書類名】実用新案登録請求の範囲
【補正対象項目名】請求項４
【補正方法】変更
【補正の内容】
【請求項４】
請求項１乃至３のいずれか一項に記載のキャスター固定具であって、
前記ロック機構は、
前記回動板から放射状に延在し、前記底面に固定される固定アームと、
該固定アームに対向して設けられる揺動アームと、を有し、
該揺動アームの該底面外周側の一端には付勢手段により床面を押圧する押圧板が設けられ、該揺動アームの該回動板側の他端は該固定アームの他端に軸支され、
該固定アームの一端と該揺動アームの一端との間には、該固定アームの一端と該揺動アームの一端とを近接又は離反させる揺動部材が設けられ、
該揺動部材には前記ロックレバーの一端が連結されていることを特徴とするキャスター固定具。
【手続補正３】
【補正対象書類名】実用新案登録請求の範囲
【補正対象項目名】請求項６
【補正方法】変更
【補正の内容】
【請求項６】
請求項１乃至５のいずれか一項に記載のキャスター固定具であって、前記基台は、物品設置台、医療用装置、収納棚、テレビ台、台車、運搬車、机、椅子、カート、ワゴン、荷車、乳母車、ベビーカー、書棚、ロッカー、陳列棚、ベッド、ホワイトボード、ピアノ、オルガン、ついたて、ごみ箱、物干しざお支持具、広告板、又は広告塔であることを特徴とするキャスター固定具。
【手続補正４】
【補正対象書類名】明細書
【補正対象項目名】０００８
【補正方法】変更
【補正の内容】
【０００８】
上記の課題を解決するために、請求項１に係るキャスター固定具の特徴は、底面に複数のキャスターが配設された基台の移動を禁止することのできるキャスター固定具において、該底面に立設された回動軸の軸心回りに回動可能に設けられた回動板と、該回動板から該基台の外側に突出し、該回動板を回動可能な回動レバーと、床面を押圧することにより該基台の移動を禁止するとともに、該押圧を解除することにより該基台の移動を可能にする複数のロック機構と、該各ロック機構に一端が連結され、他端が該回動板の外周部に軸支されるロックレバーと、を有することである。
【手続補正５】
【補正対象書類名】明細書
【補正対象項目名】００１１
【補正方法】変更
【補正の内容】
【００１１】
請求項４に係るキャスター固定具の特徴は、請求項１乃至３のいずれか一項に記載のキャスター固定具であって、前記ロック機構は、前記回動板から放射状に延在し、前記底面に固定される固定アームと、該固定アームに対向して設けられる揺動アームと、を有し、該揺動アームの該底面外周側の一端には付勢手段により床面を押圧する押圧板が設けられ、該揺動アームの該回動板側の他端は該固定アームの他端に軸支され、該固定アームの一端と該揺動アームの一端との間には、該固定アームの一端と該揺動アームの一端とを近接又は離反させる揺動部材が設けられ、該揺動部材には前記ロックレバーの一端が連結されていることである。
【手続補正６】
【補正対象書類名】明細書
【補正対象項目名】００１３
【補正方法】変更
【補正の内容】
【００１３】
請求項６に係るキャスター固定具の特徴は、請求項１乃至５のいずれか一項に記載のキャスター固定具であって、前記基台は、物品設置台、医療用装置、収納棚、テレビ台、台車、運搬車、机、椅子、カート、ワゴン、荷車、乳母車、ベビーカー、書棚、ロッカー、陳列棚、ベッド、ホワイトボード、ピアノ、オルガン、ついたて、ごみ箱、物干しざお支持具、広告板、又は広告塔であることである。